(57)【特許請求の範囲】
【請求項１】
発射レールのパチンコ球を発射させる発射装置と、打球供給皿のパチンコ球を受け止めると共に前記発射装置の動作に同期して回動しパチンコ球を１個ずつ前記発射レールへと導く球送り部材とを備えたパチンコ機において、
前記打球供給皿のパチンコ球を下方へと球抜きする球抜き通路を設けると共に、
パチンコ球を球抜きする際に操作する操作部材と該操作部材の操作によって揺動し前記球送り部材に係合可能なレバー部材とからなる球抜き操作手段を設け、
前記球抜き操作手段は、付勢部材によって付勢されていて常には前記レバー部材が前記球送り部材と係合しない状態に維持されている一方、前記操作部材を操作すると該レバー部材が該付勢部材の付勢に抗して該球送り部材に係合すると共に該球送り部材を回動させるようになっており、
前記球抜き操作手段によって前記球送り部材が回動すると前記打球供給皿のパチンコ球は前記球抜き通路へと流下するようになっていることを特徴とするパチンコ機。
【発明の詳細な説明】
【０００１】
【発明の属する技術分野】
本発明は、パチンコ遊技機に関するもので、特に球抜き機構を備えたパチンコ遊技機に関するものである。
【０００２】
【従来の技術】
従来のパチンコ遊技機においては、打球供給皿のパチンコ球を打球供給装置によって、発射装置に連動して発射レールの発射部に１個ずつ供給するようにしている。一方、前記打球供給皿に球抜き孔が設けられると共に、該球抜き孔を閉塞する球抜き弁が配設され、操作部材を操作することにより球抜き弁を作用させて、球抜き孔を開放して球抜きをするようにしている。
【０００３】
【発明が解決しようとする課題】
ところで上記したパチンコ遊技機は、打球供給装置の球送り部材と球抜き装置の球抜き弁とを備えているため、部品点数が多くコスト高となり組付けにも手間取っていた。
【０００４】
また、打球供給皿に球抜き孔が設けられた構造では、既に打球供給装置に送り込まれたパチンコ球は、抜取られずにそのまま残ってしまうという問題があった。そのため、遊技者は打球供給装置に残されたパチンコ球をわざとファール球として回収する面倒な操作をしなければならなかった。
【０００５】
そこで本発明は上記課題を解決し、打球供給装置の球送り部材を利用して球抜きを可能にしたパチンコ遊技機を提供することを目的とし、さらに打球供給装置内にパチンコ球を残すことなく球抜きを可能にすることを目的とするものである。
【０００６】
【課題を解決するための手段】
上記目的を達成するために本発明に係るパチンコ遊技機は、打球供給皿のパチンコ球を球送り部材により発射レールに１個ずつ供給する打球供給装置と、前記打球供給皿のパチンコ球を球抜きする球抜き操作手段を備えたパチンコ遊技機において、前記球抜き手段の操作に連動して前記球送り部材を作用させることにより打球供給皿のパチンコ球を球抜きするようにしたことを特徴とする。
【０００７】
また、球送り部材を回動自在に軸支し、該球送り部材の回動方向を切替ることにより、発射レールに打球を供給する動作と球抜き動作を行うようにした。
【０００８】
また、球送り部材の打球供給と球抜き作用方向を同じにして、作用範囲を異ならすことにより球抜き側と発射レールへの供給側に選択的に切替るようにしてもよい。
【０００９】
【発明の実施の形態】
次に図面に従い本発明の実施の形態を説明する。図１はパチンコ遊技機の正面図、図２はガラス扉枠と前面板とを開放した状態を示すパチンコ遊技機の下部部分の斜視図である。図において、１はパチンコ遊技機の機枠であり、該機枠１の前面に額縁状に形成された前面枠２が開閉自在に取付けられている。該前面枠２の裏面に合成樹脂により一体に形成された取付枠３を介して遊技盤４が装着されており、その前面を覆うように前面枠２に、ガラス扉枠５が開閉自在に装着され、その下方に合成樹脂製の前面板６が着脱可能に取付けられている。そして、該前面板６の前面に打球を供給する打球供給皿７が装着されている。また前面枠２の下方には打球供給皿７の余剰球を貯留する下部球受皿８および打球力調節用の操作ハンドル９が設けられる。
【００１０】
前記遊技盤４の前面にガイドレール１０が配設され、該ガイドレール１０の下方に位置して、発射レール１１および打球発射装置１２，打球供給装置１３等が装着される発射ユニット１４が、取付枠３に形成した取付凹部１５にビス等の任意の取付手段により着脱自在に取着されている。
【００１１】
該発射ユニット１４は、図３ないし図５に示すように前記取付凹部１４に嵌る取付ベース１６を有し、該取付ベース１６には、前記発射レール１１の取付ボス１７および打球発射装置１２の取付部１８が凹状に形成されると共に、打球供給装置１３の取付ボス２０が設けられている。また、取付ベース１６には、前記ガイドレール１０の始端と発射レール１１との間に開設されるファール球口２１から落下するファール球および前面板６の開放時にパチンコ球導出口２２から落下する零れ球を受けて下部球受皿８に導くファール球樋２３が形成されると共に、その左側方にスピーカー２４が収納されるスピーカー収納部２５が形成され、前面にスピーカー２４のコーン部を露呈させる円形状の透音孔２６が開設されたカバー２７を装着している。
【００１２】
前記打球供給装置１３は、図６に示すように前記取付ベース１６に取付けるケース体２８と打球供給皿７のパチンコ球を一個ずつ発射レール１１の発射部１１ａに供給する球送り部材２９とで構成される。ケース体２９は、前後に二分割して形成され、前ケース体２９ａの上部に打球供給皿７のパチンコ球を受入れる導入口３０が開設され、該導入口３０に連通して供給路３１が形成され、その終端に前記球送り部材２９が収容される円筒状の収容部３２が形成される。そして、後ケース体２８ｂの側壁に発射レール１１の発射部１１ａに位置してパチンコ球を供給する供給口３３が開設され、収容部３２の下方に球抜き通路３４が形成される。該球抜き通路３４は、前面枠２に形成された球抜き樋３５を介して下部球受皿８に連通している。
【００１３】
前記球送り部材２９は、図６および図７に示すように前ケース体２８ａに一体的に設けられた回動支軸３６に巻ばね３７を介して回動自在に支持され、供給路３１の最先のパチンコ球を受け止める球止部３８と、回動により球止部３８から落下するパチンコ球を受入れて保持する球受部３９を一体に備え、側面に後ケース体２８ｂの円弧状長孔４０から外方に突出する係合ピン４１が設けられている。また、球止部３８を介して球受部３９の反対位置にパチンコ球を球抜き通路３４に導く案内路４２が設けられている。さらに、側面に歯車４３が一体に形成され、収容部３２の切欠４４から上面を臨ませている。前記球止部３８は、回動支軸３６を中心とした円弧面に形成されており、球受部３９には球受部３９に受入れたパチンコ球を供給口３３に導くガイド片４５が設けられている。４６，４７は球送り部材２９の回動を規制する規制突起と規制長孔であり、これらに回動規制されながら球送り部材２９は、常に巻ばね３７により球受部３９にパチンコ球を受入れる側に付勢されている。
【００１４】
前記打球発射装置１２は、図５および図９に示すように前記取付部１８に嵌る箱状の取付部材４８に、操作ハンドル９の操作によって駆動する直線往復動式の発射ソレノイド４９が設置されている。該発射ソレノイド４９は、長手方向にプランジャ式の打球杆５０が挿通支持されており、先端にゴム製の槌頭５１が設けられ、打球杆５０の後端のストッパ５２によって往復動が規制されると共に、衝撃が緩和するようになっている。打球杆５０には、先端側に前記球送り部材２９の係合ピン４１と係合する連繋部材５３が装着されており、発射ソレノイド４９の作動に連繋して球送り部材２９を所定角度回動させるようにしている。５４は、打球杆５０に巻装したコイル状の復元ばねである。
【００１５】
前記操作ハンドル９は、図１４に示すように前面枠２の前面に固定される握り部５５と、該握り部５５に回動自在に設けられる操作レバー５６とを備える。握り部５５は、前面枠２に固着される後半体５５ａと、該後半体５５ａに固定的に結合される前半体５５ｂとの二部材で構成され、前半体５５ｂ内にボリュームスイッチ５７が組み込まれ、操作レバー５６を回動することによって該ボリュームスイッチ５７がボリューム調整され、発射ソレノイド４９による打球の発射力が調節される。
【００１６】
一方、前記打球供給皿７は、図１３に示すようにパチンコ球を貯留する皿部材５８と該皿部材５８の前面外側を被うカバー部材５９とからなり、皿部材５８は底壁６０が一方に緩やかに下傾し、その傾斜下端にパチンコ球が一列に整列される整列通路部６１が形成され、終端を前面板６に開設した通孔６２に連通している。また、カバー部材５９内部には皿部材５８のパチンコ球を球抜きする球抜き手段としての球抜き装置６３が設けられている。
【００１７】
前記球抜き装置６３は、図１１および図１３に示すように操作部材６４とレバー部材６５とからなり、操作部材６４は前記皿部材５８の飾り板部５８ａに開設した開口６６から臨んで、前記前面板６に突設した軸６７により上下方向に押圧自在に軸支され、レバー部材６５は、前記前面板６に突設した軸筒６８に揺動自在に軸支され、該軸筒６８の開放端を操作部材６４の下部に垂設した板状部６９により塞いで抜け止めされている。そして、レバー部材６５は付勢部材としてのスプリング７０により付勢され、図１１に示すように常にレバー部材６５に設けた係止突起７１と操作部材５４の作動片７２が接触するように付勢されている。また、レバー部材６５には、球送り部材２９の歯車４３に係合するギア片７３が形成され、さらに前面板６の開放時に前記通孔６２を閉鎖する閉鎖片７４が一体に設けられている。この閉鎖片７４は、前面板６の閉鎖時には発射ユニット１４の取付ベース１６に設けられた先端円錐形の規制筒部７５が前面板６の透孔７６から臨み、レバー部材６５が規制され通孔６２を開放し、打球供給皿７のパチンコ球を打球供給装置１３に供給可能となり、前面板６の開放時には規制筒部７５による規制から解除されスプリング７０の付勢により通孔６２を閉鎖するようになっている。
【００１８】
上記のように構成されるパチンコ遊技機は、発射レール１１および打球発射装置１２がそれぞれの取付ボス１７および取付部１８に取付けられ、図９に示すように打球発射装置１２の連繋部材５３と球送り部材２９の係合ピン４１が係合するように打球供給装置１３を取付ベース１６に取付け、発射ソレノイド４９が消磁し、打球杆５０が後退した状態において、球送り部材２９は図７に示すように、球止部３８が回動支軸３６の軸上に位置して、打球供給皿７から球供給路３１に流入した最先のパチンコ球を受止める状態で停止している。
【００１９】
この状態で、遊技者が操作ハンドル９の操作レバー５６を回動してボリュームスイッチ５７のボリューム調整をすることによりパルス信号が出力され、このパルス信号により打球発射装置１２の発射ソレノイド４９を作動させ、打球杆５０の往動により、図８に示すように連繋部材５３を介して打球供給装置１３の球送り部材２９を回動させ、球止部３８で支持された最先のパチンコ球が該送り部材２９の球受部３９に受入れられ、次いで打球杆５０の復動により球送り部材２９が図７に示す位置に戻り、該パチンコ球が供給口３３から発射レール１１の発射部１１ａに送給される。そして、打球杆５０の往動により、発射レール１１の発射部１１ａのパチンコ球を遊技盤４に勢いよく打ち出すようになっており、以後同じ動作を繰り返す。
【００２０】
次に打球供給皿７内のパチンコ球の球抜きについて説明する。まず、操作部材６４を図１１鎖線に示すように下方に押圧してレバー部材６５をスプリング７０の付勢に抗して回動させる。これによりレバー部材６５のギア片７３が収納部３２の切欠４４から臨んで球送り部材２９の歯車４３に噛合して、歯車４３を図１１矢印方向に回動させ、球送り部材２９を図１２に示すように回動させる。そして、球止部３８で受止められていたパチンコ球が、球止部３８の支持を失い案内路４２を介して球抜き通路３４に落下し、図１０および図１２に示すように球抜き樋３５を介して下部球受皿８に排出される。このようにして、打球供給装置１３内にパチンコ球が残ることもなく、打球供給皿７のすべてのパチンコ球を下部球受皿８に球抜きすることができる。
【００２１】
そして、打球供給皿７内のパチンコ球を下部球受皿８に抜取った後、操作部材６４の押圧を解除すると、スプリング７０の付勢によってレバー部材６５が元の状態に復帰し、同時に歯車４３とギア片７３との歯合が解除され、球送り部材２９は巻ばね３７の付勢により図７に示す球止部３８が最先のパチンコ球を受止める位置に移動し、案内路４２への連通状態が解除される。また、遊技中に前面板６を開放し点検する際に、打球供給装置１３の供給路３１内に残ったパチンコ球は、球送り部材２９の回動を規制する規制突起４６を、図１１矢印方向に回動操作することにより球抜き通路３４に球抜きされ、打球供給装置１３内を空にすることができる。
【００２２】
このように、打球発射装置１２に連動して球送り部材２９を作用させて発射レール１１の発射部１１ａにパチンコ球を供給すると共に、球抜き操作に連動して球送り部材２９を作用させて球抜きすることができ、球送り部材２９に球抜き弁の機能を兼ね備えることで部品点数が減りコストの低減を図ることができる。
【００２３】
また、図１５に球送り部材２９Ａの他の動きを示す。この実施の形態では球送り部材２９Ａは通常図１５（ａ）に示すように、供給路３１の先頭のパチンコ球を球止部３８で球止め支持している。そして、打球発射装置１２の動作に連動して球送り部材２９Ａが図１５（ｂ）に示すように回動し、球受部３９で先頭のパチンコ球を受入れ保持する。以後打球発射装置１２の動作に連動し、図１５（ａ）の状態で供給口３３から発射レール１１に１個ずつ供給する動作を繰り返す。次に球抜きの作用を説明する。先頭のパチンコ球を球止部３８で球止め支持している図１５（ａ）の状態で、球抜き装置６３の操作部材６４を下方に押圧すると、レバー部材６５の係止片７７が球送り部材２９Ａの係止部７８に係合して、図１５（ｂ）の状態となり、さらに操作部材６４を押圧することで、図１５（ｃ）に示すように供給路３１のパチンコ球は球受部３９を経由して球抜き通路３４に流出し、打球供給皿７のパチンコ球を抜取ることができる。このように、打球の供給と同じ方向で、その作用範囲を異ならせることで球抜きを可能にすることができる。
【００２４】
なお、本発明は、上記実施の形態に限られることなく、例えば打球供給装置が前面板６の裏面に装着されたパチンコ遊技機でもよく、また発射装置にしてもモータの回転により打球杆を往復動させ、それに伴って球送り部材を連動レバーを介して作用させるようにしたパチンコ遊技機にも適用可能であることは言うまでもない。
【００２５】
【発明の効果】
以上説明したように本発明のパチンコ遊技機は、打球を供給する球送り部材を利用して球抜きを可能としたので、部品点数を少なくできコストの低減を図ることができすると共に、スペースの有効利用ができ今までにない画期的なパチンコ遊技機を提供することができる。さらに、打球供給皿の球抜き時に打球供給装置内にパチンコ球を残すことなく全てのパチンコ球を球抜きすることができるので、遊技者の残球処理の煩わしさを解消することができる。
【図面の簡単な説明】
【図１】本発明に係るパチンコ遊技機の正面図である。
【図２】ガラス扉枠と前面板とを開放した状態を示すパチンコ遊技機の下部部分の斜視図である。
【図３】発射ユニットの斜視図である。
【図４】発射ユニットを前面枠から外した状態の斜視図である。
【図５】発射ユニットの分解斜視図である。
【図６】打球供給装置の分解斜視図である。
【図７】打球供給装置の断面図である。
【図８】打球供給装置の作用を示す断面図である。
【図９】打球発射装置と球送り部材の連繋を示す断面図である。
【図１０】打球供給装置部分の要部側断面図である。
【図１１】球抜き装置の作用を示す要部正面図である。
【図１２】球抜き状態を示す打球供給装置の断面図である。
【図１３】打球供給皿の分解斜視図である。
【図１４】操作ハンドルの断面図である。
【図１５】他の実施の形態の作用説明図である。
【符号の説明】
７              打球供給皿
１１            発射レール
１３            打球供給装置
２９，２９Ａ    球送り部材
６３            球抜き装置（球抜き手段）
６５            レバー部材
【図１】
0004484282.tif 000002
【図２】
0004484282.tif 000003
【図３】
0004484282.tif 000004
【図４】
0004484282.tif 000005
【図５】
0004484282.tif 000006
【図６】
0004484282.tif 000007
【図７】
0004484282.tif 000008
【図８】
0004484282.tif 000009
【図９】
0004484282.tif 000010
【図１０】
0004484282.tif 000011
【図１１】
0004484282.tif 000012
【図１２】
0004484282.tif 000013
【図１３】
0004484282.tif 000014
【図１４】
0004484282.tif 000015
【図１５】
0004484282.tif 000016